(57)【特許請求の範囲】
【請求項１】
ヘッドボックスに回転可能に支持されたプーリーから無端状の操作コードを垂下し、前記操作コードの操作によりプーリーを回転駆動して、日射遮蔽材を駆動する日射遮蔽装置において、
前記プーリーを第一及び第二のプーリー片で構成し、プーリーから垂下される両操作コードに、通常の操作時に該操作コードに作用する引張り力以上の超過引張り力が作用したとき、前記第一及び第二のプーリー片を離間させて前記操作コードを前記プーリーから脱落可能としたことを特徴とする日射遮蔽装置の操作装置。
【請求項２】
前記第一及び第二のプーリー片を合成樹脂で成形し、両プーリー片に前記超過引張り力で係合が外れる係合手段を設けたことを特徴とする請求項１記載の日射遮蔽装置の操作装置。
【請求項３】
前記ヘッドボックスの外部に突出される入力軸に前記第一のプーリー片を取着し、前記第一及び第二のプーリー片には、前記超過引張り力の作用に基づいて前記係合手段の係合を解除する分力を発生させる分力発生部を備えたことを特徴とする請求項２記載の日射遮蔽装置の操作装置。
【請求項４】
前記プーリーをケースとカバーとの間に収容し、前記カバーには前記第二のプーリー片の分離時に該第二のプーリー片を保持する保持部を設けたことを特徴とする請求項１記載の日射遮蔽装置の操作装置。
【請求項５】
前記カバーを前記ケースに対し前記第二のプーリー片の第一のプーリー片からの分離にともなってスライド可能に支持し、前記ケースとカバーには前記カバーのスライド時に前記カバーのケースからの脱落を阻止するストッパーを設けたことを特徴とする請求項４記載の日射遮蔽装置の操作装置。
【発明の詳細な説明】
【技術分野】
【０００１】
この発明は、プーリーに掛装された無端状の操作コードを操作して日射遮蔽材の昇降操作あるいは移送操作を行う日射遮蔽装置の操作装置に関するものである。
【背景技術】
【０００２】
横型ブラインドの操作種類の一種類として、ヘッドボックスに回転可能に支持されたプーリーに無端状の操作コードが掛装され、その操作コードの操作によりスラットの昇降操作及び角度調節操作を行うようにしたものがある。
【０００３】
このような横型ブラインドでは、ヘッドボックスの一側前面にプーリーが回転可能に支持され、そのプーリーがプーリーケースに覆われている。プーリーから吊下支持された操作コードを操作するとプーリーが回転され、そのプーリーの回転に基づいてヘッドボックス内のギヤボックスを介して駆動軸が回転される。
【０００４】
そして、駆動軸が回転されると、昇降コードを介してボトムレールが引き上げられ、あるいは下降してスラットが昇降される。また、ラダーコードを介してスラットが回動される。
【０００５】
上記のような横型ブラインドでは、操作コードの無端縁が室内を移動する居住者やその他の家財道具に引っ掛かり、それらの挙動を無用に制限してしまうことがある。
そこで、操作コードが通常の操作時に作用する操作力を超える力で引っ張られたときには、ヘッドボックスからプーリーを脱落させて、居住者等の移動を妨げないようにした操作装置が提案されている。
【０００６】
特許文献１には、操作コードに下方への過大な引張り力が作用すると、プーリー及びプーリーケースを落下させて、操作コードの引っ掛かりによる居住者等の挙動を妨げないようにした操作装置が開示されている。
【先行技術文献】
【特許文献】
【０００７】
【特許文献１】米国特許第６１１６３２５号
【発明の概要】
【発明が解決しようとする課題】
【０００８】
特許文献１に開示された操作装置では、操作コードに下方への過大な引張り力が作用すると、プーリー及びプーリーケースが落下する。従って、プーリーやプーリーケースが金属等の重量物で形成されていると、落下物により床面近傍の器物を損傷させることがあるという問題点がある。
【０００９】
この発明の目的は、居住者等の挙動を妨げず、かつ安全性を向上させ得る日射遮蔽装置の操作装置を提供することにある。
【課題を解決するための手段】
【００１０】
請求項１では、ヘッドボックスに回転可能に支持されたプーリーから無端状の操作コードを垂下し、前記操作コードの操作によりプーリーを回転駆動して、日射遮蔽材を駆動する日射遮蔽装置において、前記プーリーを第一及び第二のプーリー片で構成し、プーリーから垂下される両操作コードに、通常の操作時に該操作コードに作用する引張り力以上の超過引っ張り力が作用したとき、前記第一及び第二のプーリー片を離間させて前記操作コードを前記プーリーから脱落可能とした。
【００１１】
請求項２では、前記第一及び第二のプーリー片を合成樹脂で成形し、両プーリー片に前記超過引張り力で係合が外れる係合手段を設けた。
請求項３では、前記ヘッドボックスの外部に突出される入力軸に前記第一のプーリー片を取着し、前記第一及び第二のプーリー片には、前記超過引張り力の作用に基づいて前記係合手段の係合を解除する分力を発生させる分力発生部を備えた。
【００１２】
請求項４では、前記プーリーをケースとカバーとの間に収容し、前記カバーには前記第二のプーリー片の分離時に該第二のプーリー片を保持する保持部を設けた。
請求項５では、前記カバーを前記ケースに対し前記第二のプーリー片の第一のプーリー片からの分離にともなってスライド可能に支持し、前記ケースとカバーには前記カバーのスライド時に前記カバーのケースからの脱落を阻止するストッパーを設けた。
【発明の効果】
【００１３】
本発明によれば、居住者等の挙動を妨げず、かつ安全性を向上させ得る日射遮蔽装置の操作装置を提供することができる。
【図面の簡単な説明】
【００１４】
【図１】横型ブラインドを示す正面図である。
【図２】操作装置を示す断面図である。
【図３】操作装置を示す分解斜視図である。
【図４】プーリーの係合手段を示す断面図である。
【図５】プーリー片の分離動作を示す断面図である。
【図６】カバーのスライド動作を示す側面図である。
【図７】カバーのスライド動作を示す側面図である。
【発明を実施するための形態】
【００１５】
以下、この発明を具体化した一実施形態を図面に従って説明する。図１に示す横型ブラインド（日射遮蔽装置）は、ヘッドボックス１からラダーコード２を介して多数段のスラット（日射遮蔽材）３が吊下支持され、そのラダーコード２の下端にボトムレール４が吊下支持されている。
【００１６】
前記各スラット３のラダーコード２による支持位置近傍には、ヘッドボックス１から垂下される昇降コード５が挿通され、その昇降コード５の下端は前記ボトムレール４に接続されている。
【００１７】
前記ラダーコード２の上端は、前記ヘッドボックス１内に配設されるラダーコード支持装置に接続され、前記昇降コード５は前記ヘッドボックス１内に配設される昇降コード巻取り装置から吊下支持されている。
【００１８】
前記ヘッドボックス１の一側には操作装置６が配設され、その操作装置６から無端状の操作コード７が垂下されている。
図２に示すように、前記操作装置６はヘッドボックス１内に配設されるギヤボックス８と、ヘッドボックス１の前面側に突出された入力軸９に取着されるプーリー１０と、そのプーリー１０のケース１１及びカバー１２とで構成される。そして、前記プーリー１０に前記操作コード７が掛装されている。
【００１９】
前記ギヤボックス８内には傘歯車で構成される入力歯車１３と出力歯車（図示しない）が噛み合わされている。そして、前記入力軸９が入力歯車１３に相対回転不能に嵌合されている。
【００２０】
前記入力軸９は、前記ヘッドボックス１の前面に固定されるベース１４に回転可能に支持され、その基端部が前記入力歯車１３の中心部に嵌着されている。そして、入力軸９が回転されると入力歯車１３及び出力歯車を介して駆動軸（図示しない）が回転される。すると、前記ラダーコード支持装置及びラダーコード２を介してスラット３が回動され、昇降コード巻取り装置および昇降コード５を介してスラット３が昇降される。
【００２１】
前記ギヤボックス８は、前後両面に前記入力歯車１３を取着可能であり、操作装置６をヘッドボックス１の右端側とするか左端側とするかを転換する場合にも対応可能となっている。
【００２２】
前記プーリー１０は、入力軸９の先端部に取着される。図３に示すように、前記プーリー１０はともに合成樹脂で円板状に成形された第一のプーリー片１５ａと第二のプーリー片１５ｂとを嵌合して形成される。前記第一のプーリー片１５ａは、前記入力軸９の先端部に嵌着固定される。
【００２３】
前記第一のプーリー片１５ａの前記第二のプーリー片１５ｂに対向する側面には、４つの位置決め突部１６が周方向等間隔に形成されている。各位置決め突部１６は、その側面が斜面となる断面台形状に形成されるとともに、その周方向の両側面は第一のプーリー片１５ａの中心に向かう線分に沿う方向に形成されている。各位置決め突部１６の径方向の両側面は第一のプーリー片１５ａの中心に対する同心円に沿う方向に形成されて、各位置決め突部１６の外形はほぼ扇形に形成されている。
【００２４】
また、前記各位置決め突部１６において第一のプーリー片１５ａの外周側の側面には、図４に示すように、同位置決め突部１６の頂部近傍に返し部１７が形成されている。
前記第一のプーリー片１５ａの外周部には、等間隔に１２個の挟持片１８が形成され、各挟持片１８の前記第二のプーリー片１５ｂに対向する側面には、第一のプーリー片１５ａの外周側に向かう斜面を備えた摩擦片１９が形成されている。
【００２５】
前記第二のプーリー片１５ｂの前記第一のプーリー片１５ａに対向する内側の側面には、前記位置決め突部１６を嵌合可能とした４つの位置決め凹部２０が形成されている。各位置決め凹部２０の開口縁において、第二のプーリー片１５ｂの外周側の側面には、図４に示すように、前記返し部１７に係合する返し部２１が形成されている。
【００２６】
また、各位置決め凹部２０の外周側には割り溝３４がそれぞれ形成され、各位置決め凹部２０の外周側の側面の弾性を確保している。
前記第二のプーリー片１５ｂの外周部には、等間隔に１２個の挟持片２２が形成され、各挟持片２２の前記第一のプーリー片１５ａに対向する側面には、第二のプーリー片１５ｂの外周側に向かう斜面を備えた摩擦片２３が形成されている。
【００２７】
そして、第一及び第二のプーリー片１５ａ，１５ｂの位置決め突部１６及び位置決め凹部２０を互いに嵌合させると、図４に示すように、返し部１７，２１が互いに係合して第一及び第二のプーリー片１５ａ，１５ｂが一体に保持されてプーリー１０が形成される。
【００２８】
このとき、第一及び第二のプーリー片１５ａ，１５ｂの挟持片１８，２２は周方向に互い違いに位置するようになっている。
このように構成されたプーリー１０の挟持片１８，２２間に操作コード７を掛装して操作すると、操作コード７が各挟持片１８，２２の摩擦片（分力発生部）１９，２３に係合して、操作コード７の移動にともなってプーリー１０が回転される。
【００２９】
また、プーリー１０に掛装された操作コード７の双方に、通常の操作時に操作コード７に作用する引張り力以上の超過引張り力が作用すると、各プーリー片１５ａ，１５ｂには図２に示す矢印Ａ，Ｂ方向への水平方向の分力が作用する。すると、返し部１７，２１の係合が解除されて、図５に示すように、第一及び第二のプーリー片１５ａ，１５ｂが離間するようになっている。
【００３０】
前記第二のプーリー片１５ｂの中央部には円形孔２４が形成され、その円形孔２４の周縁部には外側に向かってリブ２５が形成されている。
前記ケース１１は、合成樹脂で前記プーリー１０の上方及び側方を覆う箱状に形成され、その背面が前記ベース１４を介して前記入力軸９を回動中心として前記ヘッドボックス１に回動可能に支持されている。
【００３１】
前記ケース１１の下部にはコードゲート２６が嵌着され、前記操作コード７が前記ヘッドボックス１の長手方向に沿って斜め方向に引かれると、コードゲート２６を介してケース１１が斜め方向に回動される。
【００３２】
前記カバー１２は、前記ケースと同様な合成樹脂で成形され、前記ケース１１の前面を覆う形状のカバー片２７の両側に、前記ケース１１の側片２８に沿って延びる係止片２９が形成されている。
【００３３】
そして、前記カバー１２は係止片２９をケース１１の側片２８に沿って摺動させることにより、ケース１１に対し前後方向すなわち図２に示す矢印Ａ，Ｂ方向に移動可能となっている。
【００３４】
前記側片２８の表面には一つの第一の係止突起３０と、２つの第二の係止突起（ストッパー）３１が形成されている。第二の係止突起３１は第一の係止突起３０より高い突起として形成される。
【００３５】
前記カバー１２の係止片２９には四角孔３２が形成されている。そして、カバー１２の係止片２９をケース１１の側片２８に嵌合してケース１１の前面開口部をカバー１２で覆った状態では、図６に示すように、前記四角孔３２の一方の側縁が第一の係止突起３０に係合して、カバー１２がこの状態に保持される。
【００３６】
また、カバー１２に矢印Ａ方向の押圧力が作用すると、前記四角孔３２の側縁が第一の係止突起３０を乗り越え、図７に示すように、第二の係止突起３１に係合するまでの範囲で、カバー１２が移動するようになっている。
【００３７】
前記カバー１２の前記第二のプーリー片１５ｂに対向する側面には円形のリブ（保持部）３３が形成されている。そして、カバー１２でケース１１の前面を覆っている状態で、リブ３３が第二のプーリー片１５ｂのリブ２５の周囲に位置するようになっている。
【００３８】
また、図５に示すように、第二のプーリー片１５ｂが第一のプーリー片１５ａから離間するとき、第二のプーリー片１５ｂのリブ２５がケース１１のリブ３３に支持されて、第二のプーリー片１５ｂの脱落が阻止されるようになっている。
【００３９】
次に、上記のように構成された操作装置の作用を説明する。
操作コード７を操作すると、プーリー１０が回転されて、ギヤボックス８を介して駆動軸が回転される。駆動軸の回転に基づいてラダーコード２を介してスラット３が回動され、昇降コード５を介してスラット３及びボトムレール４が昇降される。
【００４０】
操作コード７に居住者等が引っ掛かって、通常操作時の引張り力以上の過大な引っ張り力がプーリー１０から垂下される操作コード７の両方に作用すると、図５に示すように、第一及び第二のプーリー片１５ａ，１５ｂの返し部１７，２１の係合がはずれ、第二のプーリー片１５ｂが第一のプーリー片１５ａから離間する。
【００４１】
すると、カバー１２が第二のプーリー片１５ｂとともに矢印Ａ方向に移動して、第一のプーリー片１５ａと第二のプーリー片１５ｂとの間に操作コード７がすり抜け可能となる隙間が確保される。このとき、カバー１２の四角孔３２は図７に示す第二の係止突起３１に係合する状態となり、それ以上の移動が阻止される。
【００４２】
この結果、操作コード７はプーリー１０から外れて、第一のプーリー片１５ａと第二のプーリー片１５ｂとの間から落下するため、居住者等の挙動が妨げられない。
また、落下した操作コード７を第一のプーリー片１５ａに掛装し、第二のプーリー片１５ｂを第一のプーリー片１５ａに嵌合しながら、カバー１２を矢印Ｂ方向に移動させてケース１１に保持すると、操作コード７でプーリー１０を回転駆動し得る状態に復帰可能となる。
【００４３】
上記のように構成されたロールブラインドでは、次に示す作用効果を得ることができる。
（１）操作コード７に居住者等が引っ掛かったとき、操作コード７を操作装置からはずすことができる。従って、居住者等の挙動を妨げることはない。
（２）操作コード７を外しても、第二のプーリー片１５ｂ及びカバー１２が落下しない。従って、安全性を向上させることができる。
（３）第一及び第二のプーリー片１５ａ，１５ｂの返し部１７，２１を係合させてプーリー１０を復元し、そのプーリー１０に操作コード７を掛装すると、操作コード７でプーリー１０を回転操作し得る状態に容易に復帰させることができる。
【００４４】
上記実施形態は、以下の態様で実施してもよい。
・第二のプーリー片１５ｂを第一のプーリー片１５ａから分離するとき、第二のプーリー片１５ｂとカバー１２を脱落させてもよい。第二のプーリー片１５ｂとカバー１２は合成樹脂で軽量であるので、床面近傍の器物を損傷させ難い。
・上記操作装置を、横型ブラインド以外の縦型ブラインド、ロールブラインド、プリーツカーテン等の日射遮蔽装置の操作装置にしようすることもできる。
【符号の説明】
【００４５】
１…ヘッドボックス、７…操作コード、９…入力軸、１０…プーリー、１５ａ…第一のプーリー片、１５ｂ…第二のプーリー片、１７，２１…係合手段（返し部）、１９，２３…分力発生部（摩擦片）、３０，３１…ストッパー（第一及び第二の係止突起）。
【図１】
0005417157.tif 000002
【図２】
0005417157.tif 000003
【図３】
0005417157.tif 000004
【図４】
0005417157.tif 000005
【図５】
0005417157.tif 000006
【図６】
0005417157.tif 000007
【図７】
0005417157.tif 000008